(57)【要約】【課題】表示部と操作部の接触を防止するとともに、誤操作を行わないための十分な操作感を得ることができる折り畳み型携帯電子機器を提供する。【解決手段】表示部３を含む第１筐体１と操作部６を含む第２筐体２からなる折り畳み型携帯電話端末において、操作部６の操作デバイスの突出量以上に深い、凹部４を表示部３を含む第１筐体１の筐体接触面に作りそこに表示部３を配置すること、若しくは、保護用スクリーン５を弾性素材からなるパッキンで固定し、筐体が閉じられると操作部を含む筐体上に設けられた凸形状が表示部保護用スクリーンを押圧し筐体が展開されるとパッキンに加えられた弾性エネルギーによって表示部保護用スクリーンが筐体前面方向にせり出すことで操作部と表示部のクリアランスを確保する。【選択図】　　　図２
2004128814.tif 000002
【特許請求の範囲】
【請求項１】
一方の筐体には表示部を、他方の筐体には操作部を含む筐体からなる折り畳み型携帯電子機器において、
表示部を含む筐体は、操作部に含まれる操作デバイスの突出量以上に深い凹部を筐体同士の接触面に含み、前記表示部が前記凹部に設けられていることを特徴とする折り畳み型携帯電子機器。
【請求項２】
一方の筐体には表示部及び表示部保護用スクリーンを、他方の筐体には複数の操作デバイスからなる操作部を含む筐体からなる折り畳み型携帯電子機器において、
前記操作部を含む筐体の筐体同士の接触面に凸形状を設け、
前記表示部を含む筐体には操作部に含まれる操作デバイスの突出量以上に深い凹部を筐体同士の接触面に含み、
前記表示部保護用スクリーンは、前記凹部を上下するように前記表示部を含む筐体内に弾性素材によって固定され、
前記弾性素材は、筐体折り畳み時には前記凸形状が前記表示部保護用スクリーンを移動することでエネルギーを蓄え、筐体展開時にはエネルギーを放出し前記表示部保護用スクリーンを元の位置に戻すことを特徴とする折り畳み型携帯電子機器。
【請求項３】
前記筐体には前記凸形状に対応して穴が施され、穴を通じて前記凸形状が前記表示部保護用スクリーンを押圧することを特徴とする請求項２記載の折り畳み型携帯電子機器。
【発明の詳細な説明】
【０００１】
【発明の属する技術分野】
本発明は筐体の折り畳みが可能な上部筐体と下部筐体を有する折り畳み型携帯電子機器について、一方の筐体に表示部を他方の筐体に操作部を含む折り畳み型携帯電子機器に関する。
【０００２】
【従来の技術】
折り畳みが可能な携帯電子機器として携帯電話端末は一般的な製品である。
【０００３】
通常の折り畳み型携帯電話端末では、上部筐体に表示部とスピーカを、下部筐体に操作部とマイクを含み、ダイヤル後、上部筐体のスピーカを耳に近づけ、下部筐体のマイクを口に沿えて通話するのが一般的である。
【０００４】
図８は従来の携帯電話端末における横断面を表す図である。
【０００５】
従来の形態電話装置では、上部筐体に相当する第１筐体１の筐体同士の接触面に表示部３を、下部筐体に相当する第２筐体２の筐体同士の接触面に操作部６を配し、第１筐体１と第２筐体２を回動可能な回動部１０５で接続する構成を取っている。かかる構成により、使用時には回動部１０５を中心に筐体を展開し、操作部６及び表示部３を露出させ、非使用時には筐体を折り畳み、操作部６及び表示部３を収納することで落下等によって、操作部６及び表示部３の破損・傷つきを防止することを目的としていた。
【０００６】
図９は図８の範囲「う」の拡大図である。従来の構造では、筐体を閉じたときに、キーと表示部保護用スクリーンとが干渉しないように設置位置の関係を調整している。
【０００７】
【発明が解決しようとする課題】
しかし、かかる構成では筐体を折り畳んだ際、表示部と操作部が対向することとなり、表示部と操作部の間に十分なクリアランス（隙間）が取れないと、長期間使用することでヒンジ部が磨耗することで構造上の精度が低下し、操作部のボタンが表示部の表示面に干渉することで表示部表面を傷つけると言う問題点があった。
【０００８】
また、表示部と操作部の間に十分なクリアランスを取る為に操作部のキーの突出量が小さくなり、キー押下時のいわゆる「クリック感」が十分なもので無くこれが遠因で誤操作を引き起こしやすいといった操作上の問題も生じた。
【０００９】
本発明の目的は、表示部と操作部の接触を防止するとともに、誤操作を行わないための十分な操作感を得ることができる折り畳み型携帯電子機器を提供することにある。
【００１０】
【課題を解決する手段】
本発明に係る折り畳み型携帯電子機器は、一方の筐体には表示部を、他方の筐体には複数の操作デバイスからなる操作部を含む筐体からなる折り畳み型携帯電子機器において、
操作部の操作デバイスの突出量以上に深い、凹部を筐体同士の接触面につくり、そこに表示部を配置することを特徴とする。
【００１１】
本発明に係る他の折り畳み型携帯電子機器は、一方の筐体には表示部及び表示部保護用スクリーンを、他方の筐体には複数の操作デバイスからなる操作部を含む筐体からなる折り畳み型携帯電子機器において、
前記操作部を含む筐体の筐体同士の接触面に凸形状を設け、
前記表示部保護用スクリーンは弾性素材によって前記表示部を含む筐体に固定され、
前記弾性素材は、筐体折り畳み時には前記凸形状が前記表示部保護用スクリーンを押圧・移動することでエネルギーを蓄え、筐体展開時には蓄えられたエネルギーを放出し前記表示部保護用スクリーンを元の位置に戻すことを特徴とする。
【００１２】
また、本発明に係る他の折り畳み型携帯電子機器は、前記表示部保護用スクリーンは前記筐体と前記表示部の間に設置され、
前記操作部を含む筐体には前記凸形状に対向した位置に穴が施され、穴を通じて前記凸形状が前記表示部保護用スクリーンを押圧することを特徴とする。
【００１３】
【発明の実施の形態】
次に、本発明による折り畳み型携帯電子機器の実施の形態について図面を参照して詳細に説明する。ここでは折り畳み型携帯電子機器の実施の形態として折り畳み型携帯電話端末を示すが本発明はＰＤＡや他の携帯情報端末であってもよい。なお、現行の携帯電話端末は筐体の短辺に回動部を有するものが一般的ではあるが、本発明は長辺方向に回動部を有して展開する場合もありえるので、回動部を介して上部筐体・下部筐体を、それぞれ第１筐体・第２筐体と称呼するものとする。
【００１４】
以下、図１乃至図３を用いて本発明に係る携帯電子機器の一例たる携帯電話端末の第１の実施の形態について説明する。図１は本発明に係る携帯電話端末を開いた状態を示す。図２は、図１のＡ−Ａ‘断面における本発明に係る携帯電話端末の断面図である。
【００１５】
まず、図１及び図２を使って、本発明による第１の実施の形態の携帯電話端末の構成を説明する。
【００１６】
本携帯電話端末は、大きく分けると第１筐体１と第２筐体２より構成される。
【００１７】
第１筐体１は、閉じた時にその表面が見えない位置にある第１筐体フロントケース１０１と閉じた時にその表面が外から見える第１筐体リアカバー１０２と第１筐体フロントケース１０１と同じ表面側にある表示部３とを含んで構成される。
【００１８】
第１筐体フロントケース１０１は表示部３を内部に格納するため表示部３の表示面大の開口部を有する。第１の実施の形態においては表示部３の表示面が第１筐体１内部に落込んだ形で固定するため、第１筐体フロントケース１０１の開口部の周りに落込んだ形でモールドがなされる（以下この開口部を陥没孔４という）。
【００１９】
表示部３は、状況に応じて通話情報や文字情報等を表示する奥行きの薄いＬＣＤ（リキッドクリスタルディスプレイ）や有機ＥＬディスプレイ等である。第１筐体用フロントケース１０１に設けた陥没孔に表示部３を嵌め込んだ後、保護用スクリーン５を固定することで保護用スクリーン５が落下等による表示部３への傷つきを防止する。表示部３の固定に際しては、陥没孔４のモールド端面にあて、背面から第１筐体１内部からネジで固定する方法や、表示部３を固定するための固定面をモールドで形成して表示部３を接着して固定する方法などが考えられる。
【００２０】
陥没孔４は、筐体が閉じられ第２筐体２と対向した際に、第２筐体２の操作部６が有するキー７を十分に覆う面積を確保し、かつ、保護用スクリーン５の表面と操作部６に含まれるキー７の天面とのクリアランスを確保できる構造とするため、第２筐体２の接触面から第１筐体１内に一定の深さで落込んだ構造を取る。
【００２１】
保護用スクリーン５は、表示部３の表面を保護するための保護膜である。表示部３の表示を視認できるよう、一定以上の透過性が必要となる。保護用スクリーン５の大きさは、かかる目的のため、表示部３の表示面より大きくすることが好ましい。また、折り畳み型携帯電話端末では、不使用時は折り畳んでいるため表示部が傷つくことはほとんどなく、本発明により操作部４との接触加傷も生じないとして保護用スクリーン５を設けないことも可能である。
【００２２】
第２筐体２は、閉じたときに第１筐体フロントケース１０１に対向する第２筐体フロントケース１０３と閉じたときにその表面が外から見える第２筐体リアカバー１０４及び操作部６から構成される。
【００２３】
第２筐体フロントケース１０２は操作部６を内部に格納するため操作部６のキーを操作できるように１つあるいは２以上の開口部を含む。操作部６の操作面全体を露出させるのであれば開口部が一つで良いし、操作部６のキーだけを露出させるのであればキーの数だけ開口部を設ける。
【００２４】
図２に示すように操作部６はキー７及びラバーシート８、ドームシート９から構成される。キー７が押されると、ラバーシート８を介して、ドームシート９のドーム型のボタンが押されるラバーシート８の内側に接地することで内部回路に伝達される。操作部６はキー７が第２筐体フロントケース１０３の前面から操作可能な様に第２筐体フロントケース１０３の内側から固定される。
【００２５】
第１筐体１と第２筐体２は回動部１０５にて連結されており、回動部１０５を軸として第１筐体１と第２筐体２が対面するように開閉する構造となる。
【００２６】
次に、動作とともに細かな構成要素を説明する。
【００２７】
図１に示すような筐体を開いた状態から、回動部１０５を軸として第１筐体１と第２筐体２を閉じる方向に回動させ、図２の断面図の状態にする。この際、フロントケース同士が接触することで筐体表面が衝突し生じる傷つきを防止する目的で、図２で示すように第１筐体フロントケース１０１の表示部３が格納される陥没孔４外の筐体表面に凹構造を設け、軟材料よりなるクッション１０を圧入して構成し、また第２筐体フロントケース１０３の前記クッションと相対する位置に突起部１１を設ける。これにより、第１筐体フロントケース１０１と第２筐体フロントケース１０３との接触による傷つきを防止する。
【００２８】
図３は、図２の範囲「あ」の拡大図である。
【００２９】
本図の例では、第１筐体フロントケース１０１に含まれる陥没孔４の表示部接触面には接触面を構成するモールドが施されており、表示部３の固定を容易にしているが、必ずしもこれに拘泥するものではない。
【００３０】
陥没孔４の「深さ」は操作部６のキー７の突出量によって左右される。筐体が閉じられた際の第１筐体フロントケース１０１と第２筐体フロントケース１０３の間隔をａ、キー７と保護用スクリーン５との間隔をｂ、第１筐体フロントカバー１０１の陥没孔４を除く筐体本体の表面から保護用スクリーン５との隙間をｃ、第２筐体フロントケース１０３との表面からキー７の天面までの距離をｄとすると、ａ＋ｃ＝ｂ＋ｄとなる。
【００３１】
クッション１０は長期の使用による劣化、脱落により上記ａは次第に小さな値になる。かかる場合に、ａ＝０となり、最悪第１筐体フロントケース１０１と第２筐体フロントケース１０３が直接接触したとしても、キー７と保護用スクリーン５が接触して表示面が傷付き、表示部３の機能が損なわれないようにする必要がある。図３に示す当初の第１筐体１と第２筐体２の間隔ａとキー７と保護用スクリーン５の間隔ｂとの関係はｂ＞ａとするとｃ＞ｄとなり表示面が傷つくことは無い。
【００３２】
次に、図４、図５及び図６を用い、本発明に係る第２の実施の形態を説明する。図４は本発明に係る第２の実施の形態に係る携帯電話端末を開いた状態を示し、図５（２）は図４のＡ−Ａ‘断面における筐体が閉じる直前の状態、（ｂ）は筐体が閉じた状態を表す、断面図である。また図６は図５に記載された領域「い」を拡大した図であり、第１筐体フロントカバー１０１と保護用スクリーン５との間に隙間が生じることでキー７と保護用スクリーン５との間のクリアランスが確保できることを表している。図６も図５と同じく（ａ）は筐体が閉じる直前の状態、（ｂ）は筐体が閉じた状態を表す断面図である。
【００３３】
図４において本発明の第２の実施の形態の携帯電話端末は、第２筐体２に凸形状１２を２箇所施し、第１筐体１の相対する面には長穴１３を表示部３の上下に２箇所空け、折り畳んだ状態では凸形状１２が長穴１３に嵌るようになっている点で第１の実施の形態に係る携帯電話端末とは相違する。
【００３４】
本実施の形態でも、保護用スクリーン５は表示部３を覆うのだが、第１筐体１の内部で長穴１３の位置にも及ぶような大きさで設置される（図６参照）。本実施の形態に係る保護用スクリーン５は第１の実施の形態のそれと異なりある程度の剛性が必要である。なぜなら筐体を閉じた際に凸形状１２から与えられた外応力をパッキン１４に伝える必要があること、外応力を反復して加えることで保護用スクリーン５にたわみ・ひずみが生じると表示部３の可読性が低下するためである。したがって、凸形状１２と直接接する部分に付いては他の個所よりも厚みを増したり、剛性のある素材で挟んだりすることで、かかる要請に応えるべきであるが、具体的な実現方法に付いては本発明では特に制約を加えるものではない。なお図６では保護用スクリーン５の凸形状１２が接触する個所の処理に付いては、他の個所よりも厚みを増すやり方で図を記載している。
【００３５】
凸形状１２は第２筐体フロントケース１０３の表面に施されており、一体モールドでも、別パーツでも良い。
【００３６】
パッキン１４は、第１筐体フロントケース１０１の陥没孔４の周囲に位置するように第１筐体リアカバー１０２に貼り付けられた伸縮可能な弾性材料で形成された部品である。本図においては直接第１筐体リアカバー１０２に添付されていることを想定しているが、表示部３が第１筐体リアカバー１０２に固定されているような場合には表示部３に固定しても良く、いずれを選択するかは設計事項である。パッキン１４はさらに保護用スクリーン５と接着されている。
【００３７】
次に図５を用いて、動作についての説明をする。
【００３８】
本実施の形態においても、回動部１０５を軸として、第１筐体１と第２筐体２が回動することで、筐体の展開・収納（折り畳み）が可能である。
【００３９】
収納時においては、表示部の上下に２つある長穴１３に凸形状１２が挿入され、これにより、凸形状１２から保護用スクリーン５に外応力が加えられる。かかる外応力が加えられた状態では、保護用スクリーン５に接着されたパッキン１４にも外応力が伝達し、かかる応力によって、弾性材料より構成されるパッキン１４は圧縮される。これにより、保護用スクリーン５は第１筐体リアカバー１０２側に押し込まれることとなり、操作部６のキー７と保護用スクリーン５とのクリアランスを確保することが可能となる。
【００４０】
逆に展開時には長穴１３から凸形状１２が抜かれ、保護用スクリーン５に加えられていた外応力は失われる。一方弾性体であるパッキン１４は圧縮されていたことから弾性エネルギーを有しており、この弾性エネルギーによって保護用スクリーン５は第１筐体フロントカバー１０１側に迫り出してくる。
【００４１】
本実施の形態では、パッキン１４を第１筐体リアカバー１０２に貼り付けているが、上記のように凸形状１２によって弾性エネルギーが発生すれば、どこに貼り付けても良い。防水性との兼ね合い及び接着面の剥離性を考慮すれば、図７のように第１筐体フロントカバー１０１側にパッキン１４をつけても構わない。
【００４２】
最後に図６を用いて、図５の領域「い」の周辺の動作を説明する。
【００４３】
展開時にパッキン１４は厚さｅを持ち、保護用スクリーン５を第１筐体フロントカバー１０１に接触させている。この状態では、第１筐体フロントカバー１０１の陥没孔４を除く筐体本体の表面から保護用スクリーン５との隙間（第１の実施例ではｃと表記）は第２筐体フロントケース１０３との表面からキー７の天面までの距離（第１の実施例ではｄと表記）よりも小さい。しかし、筐体を閉じると、凸形状１２から保護用スクリーン５に外応力が加えられ、その外応力がそのままパッキン１４にも伝達される。そのことにより、パッキン１４の厚さはｅからｅ’に変形し、ｅ−ｅ’だけ第１筐体フロントカバー１０１の陥没孔４を除く筐体本体の表面から保護用スクリーン５との隙間が増えることとなる。これにより、第２筐体フロントケース１０３との表面からキー７の天面までの距離以上のクリアランスが確保され、保護用スクリーン５にキー７が干渉し、保護用スクリーン５の表面を傷つけることは無い。
【００４４】
【発明の効果】
以上に説明したように、本発明による折り畳み型携帯電子機器を折り畳んだ時の操作部と表示部の物理的干渉を防ぎ、表示部を傷つけることなく操作部のキーの突出量を増やすことで操作感を向上させることが可能である。
【００４５】
また、本発明によれば筐体の開閉状態に応じて表示部表面の保護用スクリーンを前後させることで、同様の物理干渉防止・操作部の突出量増大の効果を発揮できるだけでなく、筐体のデザインする上での制約を排除することが可能になる。
【図面の簡単な説明】
【図１】本発明の第１の実施の形態に係る携帯電話端末の展開時の正面図である。
【図２】図１に係る携帯電話端末を折り畳んだ際のＡ−Ａ‘断面を表す断面図である。
【図３】図２の領域「あ」を表す詳細な断面図である。
【図４】本発明の別の形態に係る携帯電話端末の展開時の正面図である。
【図５】図４に係る携帯電話端末を折り畳んだ際のＡ−Ａ‘断面を表す断面図である。
【図６】図５の領域「い」を表す詳細な断面図である。
【図７】図５に表したパッキンの別の取り付け方を表した詳細な断面図である。
【図８】従来の携帯電話端末の展開時における横断面図である。
【図９】図８の領域「う」における詳細図である。
【符号の説明】
１．第１筐体
２．第２筐体
３．表示部
４．陥没孔
５．保護用スクリーン
６．操作部
７．キー
８．ラバーシート
９．ドームシート
１０．クッション
１１．突起部
１２．凸形状
１３．長穴
１４．パッキン
１０１．第１筐体フロントケース
１０２．第１筐体リアカバー
１０３．第２筐体フロントケース
１０４．第２筐体リアカバー
１０５．回動部
【図１】
2004128814.tif 000003
【図２】
2004128814.tif 000004
【図３】
2004128814.tif 000005
【図４】
2004128814.tif 000006
【図５】
2004128814.tif 000007
【図６】
2004128814.tif 000008
【図７】
2004128814.tif 000009
【図８】
2004128814.tif 000010
【図９】
2004128814.tif 000011
【手続補正書】
【提出日】平成15年9月25日(2003.9.25)
【手続補正１】
【補正対象書類名】明細書
【補正対象項目名】特許請求の範囲
【補正方法】変更
【補正の内容】
【特許請求の範囲】
【請求項１】
一方の筐体には表示部を、他方の筐体には操作部を含む筐体からなる折り畳み型携帯電子機器において、
表示部を含む筐体は、操作部に含まれる操作デバイスの突出量以上に深い凹部を筐体同士の対向面に含み、前記表示部が前記凹部に設けられていることを特徴とする折り畳み型携帯電子機器。
【請求項２】
一方の筐体には表示部及び表示部保護用スクリーンを、他方の筐体には複数の操作デバイスからなる操作部を含む筐体からなる折り畳み型携帯電子機器において、
前記操作部を含む筐体の筐体同士の対向面に凸形状を設け、
前記表示部を含む筐体には操作部の操作デバイスの突出量以上に深い凹部を筐体同士の対向面に含み、
前記表示部保護用スクリーンは、前記凹部を上下するように前記表示部を含む筐体内に伸縮可能な弾性素材を介して固定され、
筐体折り畳み時には前記凸形状が前記表示部保護用スクリーンを前記凹部の深さ方向に移動することで、前記弾性素材が圧縮し、筐体展開時には前記弾性素材が圧縮状態から戻り、前記表示部保護用スクリーンを元の位置に戻すことを特徴とする折り畳み型携帯電子機器。